(57)【要約】【課題】  カーブした時、主要車輪部と副車輪部がそれぞれ回転して動き、スムーズにカーブする車輪ユニットを提供する。【解決手段】  一個の主要車輪部１と二個の副車輪部２から構成され、各副車輪部２は主要車輪部１の両側に設置される車輪ユニットの構造において、主要車輪部１の両側には円形枢設部品が設置され、副車輪部２には円形枢設部品である枢設管２１が主要車輪部に対応して設置される。【選択図】    図１
0003114682.tif 000002
【実用新案登録請求の範囲】
【請求項１】
一個の主要車輪部と二個の副車輪部とから構成され、各副車輪部は主要車輪部の両側に設置される車輪ユニットの構造において、
主要車輪部の両側には円形枢設部品が設置され、副車輪部には円形枢設部品である枢設管が主要車輪部に対応して設置されていることを特徴とする車輪ユニットの構造。
【請求項２】
前記主要車輪部の円形枢設部品は円形枢設孔であり、副車輪部の円形枢設部品は円形枢設管であることを特徴とする請求項１に記載の車輪ユニットの構造。
【請求項３】
前記主要車輪部の円形枢設部品は円形枢設管であり、副車輪部の円形枢設部品は円形枢設孔であることを特徴とする請求項１に記載の車輪ユニットの構造。
【請求項４】
前記副車輪部は、外径が主要車輪部より小さい補助輪であることを特徴とする請求項１に記載の車輪ユニットの構造。
【請求項５】
前記主要車輪部と副車輪部は、外径が同じの複数車輪であることを特徴とする請求項１に記載の車輪ユニットの構造。
【考案の詳細な説明】
【技術分野】
【０００１】
本考案は、車輪ユニットの構造に関するもので、主要車輪部と両側の副車輪部が相対して枢設され、カーブした時、主要車輪部と副車輪部がそれぞれ回転して動くので、スムーズにカーブするものである。
【背景技術】
【０００２】
一般の子どもが使用する玩具カー、キックボード、スケートボード、ローラースケート、三輪車、二輪車、あるいは、スーツケース、旅行かばんの車輪構造は、本体下に二個以上の単一車輪体が設置され、車輪体が回転すると、本体が前進する。但し、その車輪が小さい場合、カーブする時、傾斜して本体と共に倒れてしまう。子どもの操作能力は良くないため、使用するときに危険が伴う。
【０００３】
現在、子どもが使用する学習用自転車には、操作中の横転を防止するため、主要車輪の両側に各々小さめの補助輪が付設され、主要車輪がカーブして傾斜した時、補助輪が支えて車体の横転を防ぐ。しかし、補助輪を別に設置する構造は、製造、組立コストが上がり、更に部品も増えるため、組立に時間もかかる。また補助輪が付くと、走行時騒音を発し、故障を起こしやすいので、使用上理想的でない。
そのため、最近では主要車輪の両側に補助車輪(車輪が主要車輪より小さい)や複数車輪(車輪が主要車輪と同じ大きさである)を一体成型するものが出ている。しかし、この構造は各車輪が一緒に動くので、スムーズに動かないことがあり、使用しにくい。
【考案の開示】
【考案が解決しようとする課題】
【０００４】
解決しようとする問題点は、一体成型の補助車輪及び複数車輪はその車輪が一緒に回転するため、スムーズに動かない点である。
【課題を解決するための手段】
【０００５】
本考案は、一個の主要車輪部と二個の副車輪部から構成される。そのうち、各副車輪部は、主要車輪部の両側に設置され、その主要車輪部の両側には円形枢設部品が設置され、副車輪部には円形枢設部品の枢設管が主要車輪部に対応して設置されることを最も主要な特徴とする。
【０００６】
（考案の効果）
本考案の車輪ユニットの構造は、下述の利点がある。
カーブする時、主要車輪部と副車輪部がそれぞれ別に接地して回転するため、安定してカーブする。
また、主要車輪部と副車輪部の金型がそれぞれ分かれており、金型が小さくてすみ、金型も作りやすく、総コストも下がる。
【考案を実施するための最良の形態】
【０００７】
（実施例１）
図１及び図２に示すとおり、本実施例は一個の主要車輪部１と二個の副車輪部２から構成される。そのうち、各副車輪部２は、主要車輪部の両側に設置される。
主要車輪部１両側には円形枢設部品が設置される。本実施例の円形枢設部品は円形枢設孔１１とする。また副車輪部２は円形枢設部品に対応し、本実施例の円形枢設部品は円形枢設管２１とする。副車輪部２の円形枢設管２１を主要車輪部１の円形枢設孔１１に対応させて枢設する。
【０００８】
また、主要車輪部１と副車輪部２の金型は別々で、各々の金型は小さくてすむので金型も作りやすく、総コストも低くなる。
本実施例の副車輪部２は、外径が主要車輪部１より小さい補助輪である。
組立時、図２に示すとおり、副車輪部２は円形枢設管２１を主要車輪部１の円形枢設孔１１に対応させて枢設する。但し、副車輪部２の円形枢設管２１を車輪軸３上に固定し、車輪軸３を車輪台４に枢設する。
図３に示すとおり、本考案の本実施例がカーブする時、副車輪部２は主要車輪部１と同時に接地し、地面との接触面積を増やして、回転を安定させる。
【０００９】
（実施例２）
図４に示すとおり、主要車輪部１Ａと副車輪部２Ａは外径が同じ大きさの複数車輪である。本実施例中、主要車輪部１Ａの円形枢設部品は、円形枢設孔１１Ａであり、副車輪部２Ａの円形枢設部品は、円形枢設管２１Ａである。また副車輪部２Ａの円形枢設管２１Ａを主要車輪部１Ａの円形枢設孔１１Ａに対応させて差込み枢設する。更に副車輪部２Ａの円形枢設管２１Ａを車輪軸３に固定し、車輪軸３を車輪台４に枢設する。
【００１０】
（実施例３）
図５に示すとおり、副車輪部２Ｂが主要車輪部１Ｂの外径より小さい補助輪である。本実施例中、主要車輪部１Ｂの円形枢設部品は、円形枢設管１１Ｂであり、副車輪部２Ｂの円形枢設部品は、円形枢設孔２１Ｂである。また主要車輪部１Ｂの円形枢設管１１Ｂを副車輪部２Ｂの円形枢設孔２１Ｂに対応させて差込み枢設する。更に主要車輪部１Ｂの円形枢設管１１Ｂを車輪軸３に固定し、車輪軸３を車輪台４に枢設する。
【００１１】
（実施例４）
図６に示すとおり、主要車輪部１Ｃと副車輪部２Ｃは外径が同じの複数車輪である。主要車輪部１Ｃの円形枢設部品は、円形枢設管１１Ｃであり、副車輪部２Ｃの円形枢設部品は、円形枢設孔２１Ｃである。また主要車輪部１Ｃは、円形枢設管１１Ｃが副車輪部２Ｃの円形枢設孔２１Ｃに対応して差し込み、枢設する。更に主要車輪部１Ｃの円形枢設管１１Ｃを、車輪軸３に固定し、車輪軸３を車輪台４に枢設する。
【００１２】
（産業上の利用可能性）
本考案は、子どもが使用する玩具カー、キックボード、スケートボード、ローラースケート、三輪車、二輪車、あるいは、スーツケース、旅行かばんの車輪としての用途にも適用できる。
【図面の簡単な説明】
【００１３】
【図１】本考案の実施例１による車輪ユニットを示す立体分解図である。
【図２】本考案の実施例１による車輪ユニットを示す組立断面図である。
【図３】本考案の実施例１による車輪ユニットを示す後方指示図である。
【図４】本考案の実施例２による車輪ユニットを示す組立断面図である。
【図５】本考案の実施例３による車輪ユニットを示す組立断面図である。
【図６】本考案の実施例４による車輪ユニットを示す組立断面図である。
【符号の説明】
【００１４】
１  主要車輪部、１Ａ  主要車輪部、１Ｂ  主要車輪部、１Ｃ  主要車輪部
【図１】
0003114682.tif 000003
【図２】
0003114682.tif 000004
【図３】
0003114682.tif 000005
【図４】
0003114682.tif 000006
【図５】
0003114682.tif 000007
【図６】
0003114682.tif 000008